【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
ロータの健全性を監視するためのシステムであって、
基準ポイントでロータ翼の第１の翼通過信号を計測する第１のセンサ装置と、
前記基準ポイントで前記翼の第２の翼通過信号を計測する第２のセンサ装置と、
前記翼の欠陥の存在を検出する処理サブシステムであって、
前記第１のセンサ装置から前記第１の翼通過信号を受け取り、
前記第２のセンサ装置から前記第２の翼通過信号を受け取り、
前記基準ポイントでの前記翼の第１の実際の到着時間（ＴＯＡ）を決定し、
前記基準ポイントでの前記翼の第２の実際のＴＯＡを決定し、
前記基準ポイントでの前記第１の実際のＴＯＡと予期されたＴＯＡとの差に基づいて第１のデルタＴＯＡを決定し、
前記基準ポイントでの前記第２の実際のＴＯＡと予期されたＴＯＡとの差に基づいて第２のデルタＴＯＡを決定し、
前記第１及び第２のデルタＴＯＡに基づいて、前記第１及び第２のデルタＴＯＡベクトルを決定し、
前記第１及び第２のデルタＴＯＡベクトルに基づいて、前記翼の共振周波数ロータ速度領域に対応する、共振周波数第１及び第２のデルタＴＯＡベクトルとを選択し、
前記共振周波数第１及び第２のデルタＴＯＡベクトルに基づいて計測行列を生成し、
前記計測行列に基づいて、共振行列を生成し、
前記共振行列を前記翼に欠陥が無いときに生成された前記翼の過去の共振周波数ロータ速度領域と比較して、前記翼の欠陥の存在を決定する、前記処理サブシステムと、
を含むシステム。
【請求項２】
前記処理サブシステムが、前記共振信号に基づいて前記翼の共振周波数のロータ回転速度を求める請求項１記載のシステム。
【請求項３】
前記処理サブシステムが、前記翼の過去の共振周波数のロータ回転速度に対して前記翼の前記共振周波数のロータ回転速度に変動があるかどうかさらに判断して、
前記翼の前記共振周波数のロータ回転速度の前記変動に基づいて前記翼の亀裂の存在、亀裂のない状態、または亀裂の存在の可能性を判断する請求項２記載のシステム。
【請求項４】
前記処理サブシステムが、前記共振信号と過去の共振信号に対して相関関数を適用することにより、前記共振周波数のロータ回転速度に変動があるかどうか判断する請求項３記載のシステム。
【請求項５】
前記処理サブシステムが、
過去の共振信号と前記共振信号に対して相関関数を適用することにより、インデックス値および相関値を求めて、
前記インデックス値、前記相関値および相関図に基づいて、前記翼の亀裂の存在、亀裂のない状態または亀裂の存在の可能性を判断することによって翼の健全性をさらに監視する請求項１乃至４のいずれかに記載のシステム。
【請求項６】
前記処理サブシステムが、前記共振行列の第２のサブセットに基づいてノイズ信号をさらに生成し、前記ノイズ信号が、前記複数の共振周波数の第１のデルタ到着時間ベクトルおよび前記複数の共振周波数の第２のデルタ到着時間ベクトルのノイズを含む請求項１乃至５のいずれかに記載のシステム。
【請求項７】
前記複数の共振周波数の第１のデルタ到着時間ベクトルが、前記翼の共振周波数のロータ回転速度に対応する第１のデルタＴＯＡベクトルのサブセットを含む請求項１乃至６のいずれかに記載のシステム。
【請求項８】
前記複数の共振周波数の第２のデルタ到着時間ベクトルが、前記翼の共振周波数のロータ回転速度に対応する第２のデルタＴＯＡベクトルのサブセットを含む請求項１乃至７のいずれかに記載のシステム。
【請求項９】
前記処理サブシステムが、
前記複数の共振周波数の第１のデルタ到着時間ベクトルおよび前記複数の共振周波数の第２のデルタ到着時間ベクトルに基づいて初期行列を生成し、  多項式曲線当てはめまたはウェーブレットベースの曲線当てはめを含む技法のうち少なくとも１つを適用して前記初期行列からトレンドを除去することによって前記計測行列を生成する請求項１乃至８のいずれかに記載のシステム。
【請求項１０】
前記処理サブシステムが、前記計測行列に対して少なくとも１つの技法を適用することによって前記共振行列を生成し、前記少なくとも１つの技法が、白色化技法、キュムラント行列推定技法、および行列回転技法を含む請求項１乃至９のいずれかに記載のシステム。
【請求項１１】
前記処理サブシステムが、
前記計測行列のエントリ間の相関を実質的に除去することにより、前記計測行列に基づく白色化行列を求め、
前記白色化行列に基づいてキュムラント行列を求め、
前記キュムラント行列のエントリ間の相関を実質的に除去することにより、前記キュムラント行列に基づく回転行列を求め、
ユニタリ行列および求められた回転行列に基づいて前記回転行列を回転させることにより、前記ユニタリ行列を生成して、
前記ユニタリ行列と前記白色化行列の積を求めることよって共振行列を生成する請求項１乃至１０のいずれかに記載のシステム。
【請求項１２】
前記処理サブシステムが、
白色化すべき行列の共変量を求めることによって共変行列を生成し、
前記共変行列に対して固有ベクトル分解技法を適用することによって固有ベクトル行列および前記共変行列に関する固有値を求め、
前記固有値の平方根を求め、
前記固有ベクトル行列と前記固有値の前記平方根とを掛けることによって積行列を求め、
前記積行列と前記計測行列を掛けることによって、白色化行列を求めるシステムであって、
前記白色化すべき行列が前記計測行列であるとき、前記白色化行列が前記白色化行列であり、前記白色化すべき行列が前記キュムラント行列であるとき、前記白色化行列が、回転白色化行列である請求項１１記載のシステム。
【請求項１３】
前記白色化行列のエントリが実質的に一次無相関であり、前記白色化行列の前記エントリの共変量が約ゼロである請求項１１記載のシステム。
【請求項１４】
前記ユニタリ行列の前記エントリの共変量が約ゼロである請求項１１記載のシステム。
【請求項１５】
前記翼に対応する第１の到着時間信号を生成するための前記第１の感知デバイスと、
前記翼に対応する第２の到着時間信号を生成するための第２の感知デバイスとをさらに備える請求項１乃至１４のいずれかに記載のシステム。
【請求項１６】
前記処理サブシステムが、前記第１の到着時間信号および前記第２の到着時間信号から非同期信号を除去するために平滑化フィルタ技法およびメジアンフィルタ技法のうち少なくとも１つを適用することにより、前処理された第１の到着時間信号と前処理された第２の到着時間信号とをさらに生成する請求項１５記載のシステム。
【請求項１７】
前記処理サブシステムが、さらに、前記前処理された第１の到着時間および予期された到着時間に基づいて第１のデルタ到着時間を求め、
前記前処理された第２のデルタ到着時間および前記予期された到着時間に基づいて第２のデルタ到着時間を求め、  前記ロータのそれぞれの共振周波数の速度に基づいて、前記翼に対応する第１のデルタ到着時間から複数の共振周波数の第１のデルタ到着時間を抽出し、
前記ロータの前記それぞれの共振周波数の速度に基づいて、前記翼に対応する第２のデルタ到着時間から複数の共振周波数の第２のデルタ到着時間を抽出し、
前記共振周波数の第１のデルタ到着時間および前記それぞれの共振周波数に基づいて、前記複数の第１のデルタ到着時間ベクトルを求め、
前記共振周波数の第２のデルタ到着時間および前記それぞれの共振周波数に基づいて、前記複数の第２のデルタ到着時間ベクトルを求める請求項１６記載のシステム。